(57)【要約】【課題】ケーブルテレビ放送受信機のステータス情報をケーブルテレビ放送局が調査するためには、電話回線を用いて双方向ケーブルテレビ放送受信機から自発的にステータス情報を送信する必要があった。【解決手段】接続されたケーブル網からケーブルテレビ放送を受信するケーブル放送受信部と、前記ケーブル網を介してケーブルモデムデータ通信を行うケーブルモデム部と、前記ケーブル放送受信部のステータス情報を保持するステータス情報保持部を具備し、前記ケーブルモデム部のケーブルモデムデータ通信により前記ケーブル放送受信部のステータス情報を送信することを特徴とする双方向ケーブルテレビ放送受信機。【選択図】  図１
2004282210.tif 000002
【特許請求の範囲】
【請求項１】
接続されたケーブルからケーブルテレビ放送を受信するケーブル放送受信部と、
前記ケーブルを介してケーブルモデムデータ通信を行うケーブルモデム部と、前記ケーブル放送受信部のステータス情報を保持するステータス情報保持部を具備し、
前記ケーブルモデム部のケーブルモデムデータ通信により前記ケーブル放送受信部のステータス情報を送信することを特徴とする双方向ケーブルテレビ放送受信機。
【請求項２】
前記ケーブルモデム部が前記ケーブル放送受信部のステータス情報の問い合わせを受信すると前記ステータス情報保持部に保持しているケーブル放送受信部のステータス情報を送信することを特徴とする双方向ケーブルテレビ放送受信機。
【請求項３】
前記ステータス情報保持部において保持するケーブル放送受信部のステータス情報をＭＩＢ情報として保持することを特徴とする請求項１または請求項２いずれかに記載のケーブルテレビ放送受信機。
【請求項４】
前記ケーブルモデム部にＳＮＭＰ  Ａｇｅｎｔの機能を搭載し、前記ステータス情報保持部が保持しているステータス情報であるＭＩＢ情報をＳＮＭＰの応答として送信することを特徴とする請求項３に記載のケーブルテレビ放送受信機。
【請求項５】
前記ステータス情報保持部が保持するＭＩＢ情報に前記ケーブル放送受信部が受信しているチャンネルを保持し、前記ケーブルモデム部が前記ケーブル放送受信部のステータス情報の問い合わせを受信すると前記ケーブルモデム部のＳＮＭＰ  Ａｇｅｎｔの機能を利用してＳＮＭＰの応答として送信することを特徴とする請求項４に記載のケーブルテレビ放送受信機。
【発明の詳細な説明】
【０００１】
【発明の属する技術分野】
本発明はステータス情報を保持する双方向ケーブルテレビ放送受信機に関する。
【０００２】
【従来の技術】
従来、ケーブルテレビ放送受信機の受信チャンネルなどのステータス情報をケーブルテレビ放送局が知るためには有料番組放送などのリクエスト信号を送るために使用する電話回線でのデータ通信を利用して取得するか、特許文献１のように受信チャンネルの履歴を保持しておき所定のタイミングで電話回線を利用しケーブルテレビ放送局に送信し、これを受信したケーブルテレビ放送局が受信した履歴データを解析して行うしかなかった。
【０００３】
【特許文献１】
特開平１１−２８４５８３号公報
【０００４】
【発明が解決しようとする課題】
しかし、前記従来の技術ではケーブルテレビ放送受信機のステータス情報の送信に電話回線を用いるためステータス情報を取得するための通信コストを視聴者に負担させることになり、視聴者はこれを望まない。
【０００５】
また、電話回線で送信されるケーブルテレビ放送受信機のステータス情報のフォーマットは様々で、ケーブルテレビ放送局はケーブルテレビ放送受信機のステータス情報を解析するための独自の仕組みが必要である。
【０００６】
また、ケーブルテレビ放送局がケーブルテレビ放送受信機のステータス情報を取得しようとしても、ケーブルテレビ放送受信機に対してリクエストを送信することが困難であるため、ケーブルテレビ放送受信機が自発的に自身のステータス情報をケーブルテレビ局に送信する必要がある。
【０００７】
本発明は、前記従来の課題を解決するもので、ケーブル放送受信部にケーブル網を利用したデータ通信を可能とするケーブルモデム部を接続し、前記ケーブルモデム部のデータ通信機能を利用してケーブル放送受信部のステータス情報を送信することを可能とした双方向ケーブルテレビ放送受信機を提供することを目的とする。
【０００８】
【課題を解決するための手段】
この課題を解決するために、本発明は、ケーブル放送受信部にケーブルモデム部を接続し、さらにケーブル放送受信部のステータス情報を保持するステータス情報保持部を具備することにより、ケーブルモデム部のケーブルモデムデータ通信機能を利用してケーブル放送受信部のステータス情報をケーブルテレビ局に電話回線を使用することなく送信することが可能となる。
【０００９】
【発明の実施の形態】
以下、本発明の実施の形態について、図１および図２を用いて説明する。
【００１０】
（実施の形態１）
図１は本発明の実施の形態１の双方向ケーブルテレビ放送受信機の構成図である。図１において１はケーブル放送局に設置される双方向ケーブルテレビ放送受信機のステータス情報を管理するための受信機管理部で、２はケーブル放送局に設置されるケーブル網を利用したデータ通信を利用するためのケーブルモデムセンター装置部で、３はケーブル放送をケーブル網に送信するケーブル放送送信部で、４は前記ケーブル放送送信部３が送信したケーブル放送を受信して、受信した放送を変調、デコードしテレビ画面へ出力することを可能とするケーブル放送受信部で、５は前記ケーブルモデムセンター装置部２と協調して動作し、ケーブル網を利用してデータ通信を行う機能を提供するケーブルモデム部で、６はケーブル放送受信機の受信チャンネルや、そのチャンネルへ変更した時刻や、双方向ケーブルテレビ放送受信機の電源をオンにしたタイミングなどを保持するステータス情報保持部である。
【００１１】
以上のように構成された双方向ケーブルテレビ放送受信機について、以下、その動作を述べる。
【００１２】
ケーブル放送の視聴者は所望の番組を見るためにケーブル放送受信部４を操作し、ケーブル放送のチャンネルを選択する。ケーブル放送受信部４は選択されたチャンネルを受信すると、そのチャンネルを流れるケーブル放送の信号を変調、デコードし映像および音声信号へ変換してテレビへ出力し、視聴者は所望の番組を視聴する。このとき、ケーブル放送受信部４は受信しているチャンネルがどのチャンネルであるかをケーブルモデム部５へ伝える。ケーブルモデム部５はケーブル放送受信部４から伝えられた受信チャンネルをステータス情報保持部６へ保持する。ケーブルテレビ放送局は双方向ケーブルテレビ放送受信機の受信しているチャンネルを知りたいときは、受信機管理部１より双方向ケーブルテレビ放送受信機のステータス情報問い合わせメッセージを発行する。受信機管理部１より発行されたステータス情報問い合わせメッセージは、ケーブルモデムセンター装置部２へ送信され、ケーブルモデムセンター装置部２は受信機管理部１より送信されたステータス情報問い合わせメッセージをケーブル網へデータ通信パケットとして送信する。ケーブルモデム部５はケーブルモデムセンター装置部２から送信されたステータス情報問い合わせパケットを受信すると、ステータス情報問い合わせがあったことをステータス情報保持部６へ伝える。ステータス情報保持部６はステータス情報問い合わせがあったことを知ると、ステータス情報問い合わせに指定されている双方向ケーブルテレビ放送受信機のステータス情報を、保持しているステータス情報から検索し、対応するステータス情報であるケーブル放送受信部４が受信しているチャンネルをケーブルモデム部５へ伝える。ステータス情報保持部６からチャンネル情報を入手したケーブルモデム部５はチャンネル情報をデータ通信パケットとして送信する。ケーブルモデム部５より送信されたチャンネル情報パケットを受信したケーブルモデムセンター装置部２は受信したチャンネル情報を受信機管理部１へ送信し、受信機管理部１は双方向ケーブルテレビ放送受信機の受信チャンネルを知ることが可能となる。
【００１３】
（実施の形態２）
図２は本発明の実施の形態２の双方向ケーブルテレビ放送受信機の構成図である。図２において、図１と同じ構成要素については同じ符号を用い、説明を省略する。図２において、８は双方向ケーブルテレビ放送受信機のステータス情報をＭＩＢとして保持するためのＭＩＢ  Ｄａｔａｂａｓｅで、７はＭＩＢ  Ｄａｔａｂａｓｅ８をＳＮＭＰパケットとして扱うことを可能とするＳＮＭＰ  Ａｇｅｎｔで、９はＳＮＭＰ  Ａｇｅｎｔ７に対してＳＮＭＰパケットの問い合わせをすることを可能とするＳＮＭＰ  Ｍａｎａｇｅｒである。
【００１４】
以上のように構成された双方向ケーブルテレビ放送受信機について、以下、その動作を述べる。
【００１５】
ケーブル放送の視聴者は所望の番組を見るためにケーブル放送受信部４を操作し、ケーブル放送のチャンネルを選択する。ケーブル放送受信部４は選択されたチャンネルを受信すると、そのチャンネルを流れるケーブル放送の信号を変調、デコードし映像および音声信号へ変換してテレビへ出力し、視聴者は所望の番組を視聴する。このとき、ケーブル放送受信部４は受信しているチャンネルがどのチャンネルであるかをケーブルモデム部５へ伝える。ケーブルモデム部５はケーブル放送受信部４から伝えられた受信チャンネル情報をステータス情報保持部６へ伝える。ステータス情報保持部６はケーブルモデム部５より伝えられたケーブル放送受信部４の受信チャンネル情報をＭＩＢ形式へ変換し、これをＭＩＢ  Ｄａｔａｂａｓｅ８へ記録する。ケーブルテレビ放送局は双方向ケーブルテレビ放送受信機の受信しているチャンネルを知りたいときは、受信機管理部１より双方向ケーブルテレビ放送受信機のステータス情報問い合わせメッセージを発行することをＳＮＭＰ  Ｍａｎａｇｅｒ９へ伝える。ＳＮＭＰ  Ｍａｎａｇｅｒ９はステータス情報問い合わせメッセージをＳＮＭＰ問い合わせパケットに変換し、受信機管理部１を介してケーブルモデムセンター装置部２へ送信する。ＳＮＭＰ  Ｍａｎａｇｅｒ９より送信されたＳＮＭＰ問い合わせパケットを受信したケーブルモデムセンター装置部２は、ＳＮＭＰ問い合わせパケットをケーブル網へデータ通信パケットとして送信する。ケーブルモデム部５はケーブルモデムセンター装置部２から送信されたＳＮＭＰ問い合わせメッセージを受信すると、これをＳＮＭＰ  Ａｇｅｎｔ７へ送信する。ＳＮＭＰ  Ａｇｅｎｔ７はＳＮＭＰ問い合わせメッセージを解釈しＳＮＭＰ  Ｍａｎａｇｅｒ９からどのようなステータス情報が問い合わせられているかを特定する。ＳＮＭＰ  Ｍａｎａｇｅｒ９から問い合わせられているステータス情報を特定できたら、特定したステータス情報をケーブルモデム部５を介してステータス情報保持部６へ伝える。ステータス情報保持部６はＳＮＭＰ  Ａｇｅｎｔ７より伝えられたステータス情報と対応するＭＩＢをＭＩＢ  Ｄａｔａｂａｓｅ８から検索し、検索した結果をケーブルモデム部５を介してＳＮＭＰ  Ａｇｅｎｔ７へ伝える。ＳＮＭＰ  Ａｇｅｎｔ７はステータス情報保持部６より伝えられたＭＩＢをＳＮＭＰ応答パケットへ変換し、変換したＳＮＭＰ応答パケットをケーブルモデム部５へ送信する。ＳＮＭＰ  Ａｇｅｎｔ７からＳＮＭＰ応答パケットを受信したケーブルモデム部５は、ＳＮＭＰ応答パケットをケーブル網へデータ通信パケットして送信する。ケーブルモデム部５より送信されたＳＮＭＰ応答パケットを受信したケーブルモデムセンター装置部２は、受信したＳＮＭＰ応答パケットを受信機管理部１を介してＳＮＭＰ  Ｍａｎａｇｅｒ９へ送信する。ケーブルモデムセンター装置部２から、ＳＮＭＰ応答パケットを受信したＳＮＭＰ  Ｍａｎａｇｅｒ９はＳＮＭＰ応答パケットを解釈し、ＳＭＮＰ問い合わせパケットで問い合わせた双方向ケーブルテレビ放送受信機のステータス情報を抽出する。ＳＮＭＰ  Ｍａｎａｇｅｒ９は抽出した双方向ケーブルテレビ放送受信機のステータス情報を受信機管理部１へ送信し、受信機管理���１は双方向ケーブルテレビ放送受信機の受信チャンネルを知ることが可能となる。
【００１６】
実施の形態２においては双方向ケーブルテレビ放送受信機のステータス情報をＳＮＭＰパケットとして扱うことが出来るため、一般的なＳＮＭＰ  Ｍａｎａｇｅｒにおいても双方向ケーブルテレビ放送受信機のステータス情報を管理することが可能となる。
【００１７】
なお、以上の説明では、受信機管理部１が管理する双方向ケーブルテレビ放送受信機のステータス情報をケーブル放送受信部４の受信しているチャンネルとしたが、その他のステータス情報、例えば双方向ケーブルテレビ放送受信機の電源がオンになった時刻や、ケーブル放送受信部４が受信しているチャンネルの受信電力強度や、双方向ケーブルテレビ放送受信機のＩＤなどについても同様に実施可能である。
【００１８】
【発明の効果】
以上のように本発明によれば、ケーブルモデムセンター装置とケーブルモデムのデータ通信機能を利用して、双方向ケーブルモデム放送受信機のステータス情報をケーブルテレビ放送局の欲するタイミングで取得することができるとともに双方向ケーブルテレビ放送受信機は、ステータス情報を送信するために電話回線を利用することも無い。また、ステータス情報の交換にＳＮＭＰの機能を利用することにより、インターネット経由でも双方向ケーブルテレビ放送受信機を管理することが可能となり、またネットワーク管理の仕組みとして広く利用されているＳＮＭＰを利用するため、実施するコストも削減される。
【図面の簡単な説明】
【図１】本発明の実施の形態１における双方向ケーブルテレビ放送受信機のブロック図
【図２】本発明の実施の形態２における双方向ケーブルテレビ放送受信機のブロック図
【符号の説明】
１  受信機管理部
２  ケーブルモデムセンター装置部
３  ケーブル放送送信部
４  ケーブル放送受信部
５  ケーブルモデム部
６  ステータス情報保持部
７  ＳＮＭＰ  Ａｇｅｎｔ
８  ＭＩＢ  Ｄａｔａｂａｓｅ
９  ＳＮＭＰ  Ｍａｎａｇｅｒ
【図１】
2004282210.tif 000003
【図２】
2004282210.tif 000004